(57)【要約】【課題】車両の減速が必要となるときに、その旨を効果的に運転者に通知する。【解決手段】自車進路前方の道路形状に応じて自車両が減速を開始すべき減速タイミングを判断し、判断した減速タイミングよりも前の時点で、運転のアクセル操作に対する操作反力を増加補正する。すなわち、減速開始閾値ｔｈRから早期係数ＸAを減算した補正開始閾値（ｔｈR−ＸA）を設定し、目標減速度Ｘｇが補正開始閾値（ｔｈR−ＸA）以上となるときに（ステップＳ２５の判定が“Yes”）、アクセル操作反力を増加補正する（ステップＳ２６）。このとき、目標減速度Ｘｇと補正開始閾値（ｔｈR−ＸA）との差分が大きいほど、アクセル操作に対するペダル反力の増加補正量を大きくする。【選択図】図２
2010195087.tif 000002
【特許請求の範囲】
【請求項１】
運転者によって加減速操作される運転操作子と、運転者の加減速操作に応じて前記運転操作子に操作反力を付与する反力制御手段と、
自車進路前方の道路形状を検出する検出手段と、該検出手段が検出した道路形状に応じて自車両が減速を開始すべきタイミングである減速タイミングを判断する判断手段と、該判断手段が判断した減速タイミングよりも前の時点で、前記操作反力に対する減速促進方向への補正を開始する補正手段と、を備えることを特徴とする運転支援装置。
【請求項２】
前記判断手段は、前記検出手段が検出した道路形状に応じて、自車進路前方で最も自車両に近く最も曲率半径が小さくなる地点を制御対象地点として算出し、算出した制御対象地点における曲率半径に基づいて当該制御対象地点を通過するときの目標車速を算出し、算出した目標車速、前記制御対象地点までの距離、及び現在の車速に基づいて、自車両の目標減速度を算出し、当該目標減速度が所定の減速開始閾値よりも大きいときに、自車両が減速を開始すべき減速タイミングであると判断することを特徴とする請求項１に記載の運転支援装置。
【請求項３】
前記補正手段は、前記減速開始閾値よりも小さな補正開始閾値を設定し、前記目標減速度が当該補正開始閾値より大きくなったときに、前記補正を開始することを特徴とする請求項２に記載の運転支援装置。
【請求項４】
前記補正手段は、前記目標減速度と前記補正開始閾値との差分が大きいほど、前記操作反力に対する減速促進方向への補正量を大きくすることを特徴とする請求項３に記載の運転支援装置。
【請求項５】
前記判断手段が判断した減速タイミングで、車両を減速させる減速制御手段を備えることを特徴とする請求項１〜４の何れか一項に記載の運転支援装置。
【請求項６】
前記補正手段は、自車速が高いほど、前記減速タイミングに対して前記補正を開始するタイミング差を大きくすることを特徴とする請求項１〜５の何れか一項に記載の運転支援装置。
【請求項７】
前記補正手段は、路面勾配に応じて、前記減速タイミングに対して前記補正を開始するタイミング差を変更することを特徴とする請求項１〜６の何れか一項に記載の運転支援装置。
【請求項８】
前記補正手段は、下り勾配が大きいほど、前記減速タイミングに対して前記補正を開始するタイミング差を大きくすることを特徴とする請求項７に記載の運転支援装置。
【請求項９】
前記補正手段は、上り勾配が大きいほど、前記減速タイミングに対して前記補正を開始するタイミング差を小さくすることを特徴とする請求項７又は８に記載の運転支援装置。
【請求項１０】
前記補正手段は、前記減速タイミングに対して前記補正を開始するタイミング差を、所定範囲に制限することを特徴とする請求項６〜９の何れか一項に記載の運転支援装置。
【請求項１１】
前記運転操作子は、アクセル操作子を含み、
前記反力制御手段は、運転者のアクセル操作に応じて前記アクセル操作子に操作反力を付与し、
前記補正手段は、前記アクセル操作子に対する操作反力を増加補正することを特徴とする請求項１〜１０の何れか一項に記載の運転支援装置。
【請求項１２】
前記運転操作子は、ブレーキ操作子を含み、
前記反力制御手段は、運転者のブレーキ操作に応じて前記ブレーキ操作子に操作反力を付与し、
前記補正手段は、前記ブレーキ操作子に対する操作反力を減少補正することを特徴とする請求項１〜１１の何れか一項に記載の運転支援装置。
【請求項１３】
自車進路前方の道路形状に応じて自車両が減速を開始すべき減速タイミングを判断し、判断した減速タイミングよりも前の時点で、運転の加減速操作に対する操作反力を、減速促進方向に制御することを特徴とする運転支援方法。
【請求項１４】
自車進路前方で最も自車両に近く最も曲率半径が小さくなる地点を制御対象地点として算出し、算出した制御対象地点における曲率半径に基づいて当該制御対象地点を通過するときの目標車速を算出し、算出した目標車速、前記制御対象地点までの距離、及び現在の車速に基づいて、自車両の目標減速度を算出し、当該目標減速度が所定の減速開始閾値よりも大きいときに、自車両が減速を開始すべき減速タイミングであると判断することを特徴とする請求項１３に記載の運転支援方法。
【発明の詳細な説明】
【技術分野】
【０００１】
本発明は、車両の減速を要するときの運転操作を支援する運転支援装置、及び運転支援方法に関するものである。
【背景技術】
【０００２】
ナビゲーション装置やインフラストラクチャからの情報に基づいて、進路前方の道路形状を取得し、カーブに進入する前に、そのカーブに適した進入速度となるように自動減速を行うと共に、その旨を音声や表示によって運転者に報知するものがあった（特許文献１参照）。
【先行技術文献】
【特許文献】
【０００３】
【特許文献１】特開平４−２３６６９９号公報
【発明の概要】
【発明が解決しようとする課題】
【０００４】
しかしながら、自動減速を行う旨を音声や表示によって報知しても、運転者の視線方向や周囲の雑音によっては、効果的に通知できない可能性がある。
本発明の課題は、車両の減速が必要となるときに、その旨を効果的に運転者に通知することである。
【課題を解決するための手段】
【０００５】
上記の課題を解決するために、本発明に係る運転支援装置は、自車進路前方の道路形状に応じて自車両が減速を開始すべきタイミングである減速タイミングを判断し、判断した減速タイミングよりも前の時点で、運転の加減速操作に対する操作反力を、減速促進方向に制御する。
【発明の効果】
【０００６】
本発明に係る運転支援装置によれば、自車両が減速を開始すべき減速タイミングを判断し、判断した減速タイミングよりも前の時点で、運転の加減速操作に対する操作反力を、減速促進方向に制御することで、車両に減速が必要な旨を、効果的に運転者に通知することができる。
【図面の簡単な説明】
【０００７】
【図１】車両の概略構成である。
【図２】運転支援処理を示すフローチャートである。
【図３】目標ノード点の選出例である。
【図４】係数Ｋｓの算出に用いるマップである。
【図５】早期係数ＸAの算出に用いるマップである（車速用）。
【図６】早期係数ＸAの算出に用いるマップである（路面勾配用）。
【発明を実施するための形態】
【０００８】
以下、本発明の実施形態を図面に基づいて説明する。
《構成》
図１は、車両の概略構成である。
ブレーキペダル１は、ブレーキブースタ２を介してマスターシリンダ３に連結される。ブレーキブースタ２は、例えば負圧の供給量を変化させることで倍力比を調整できる制御型のブースタであり、コントローラ１０によって駆動制御される。この倍力比の調整により、運転者のペダル操作に対する操作反力が制御される。
【０００９】
マスターシリンダ３と各ホイールシリンダ４ｉ（ｉ＝ＦＬ、ＦＲ、ＲＬ、ＲＲ）との間には、スタビリティ制御（ＶＤＣ：Vehicle Dynamics Control）等に用いられるブレーキアクチュエータ５が介装されている。このブレーキアクチュエータ５は、ソレノイドバルブやポンプ等の油圧機器を備え、これらをコントローラ１０によって駆動制御することにより、運転者のブレーキ操作に関らず各ホイールシリンダ４ｉの液圧を個別に制御することができる。
【００１０】
駆動力制御装置２０は、エンジン２１の燃料噴射量や点火時期、自動変速機２２の変速比、及び電子制御スロットルバルブ２３の開度を制御することにより、車両の駆動力を制御する。また、駆動力制御装置２０は、コントローラ１０からの駆動力指令を受けたときは、その駆動力指令に応じて車両の駆動力を制御する。
レーダ装置３１は、車両前方の物体までの車間距離Ｄを検出し、それをコントローラ１０へ入力する。
【００１１】
ナビゲーション装置３２は、ＧＰＳで計測した自車両の現在位置（Ｘ0，Ｙ0）、及び道路地図情報に基づいて、自車進路前方の道路形状を検出する。ここで、道路形状とは、ノード点情報であり、Ｘj、Ｙj、Ｌj（ｊ＝１〜ｎ、ｎは整数）からなる。Ｘj及びＹjはノード点の位置情報であり、Ｌjは現在位置（Ｘ0，Ｙ0）からノード点（Ｘj，Ｙj）までの距離である。なお、現在位置から遠いノード点ほど、ｊの値が大きくなるように配列されている。なお、車速及びヨーレートに基づいて、現在位置（Ｘ0，Ｙ0）を補正してもよい。また、インフラストラクチャから道路形状を入手可能であれば、それを用いる。また、取得した道路地図情報、及び自車両の現在位置は、ディスプレイ等に表示される。
【００１２】
モニタ３３は、コントローラ１０からの指令に応じて、運転者に通知すべき情報を表示すると共に、内蔵されたスピーカを介して音声やブザーで通知する。
加速度センサ１１は、車両の前後加速度Ｘｇ及び横加速度Ｙｇを検出し、ヨーレートセンサ１２は、車両のヨーレートγを検出し、舵角センサ１３は、ステアリングホイール６の回転角、つまり運転者のステアリング操作量を検出する。また、圧力センサ１４は、マスターシリンダ３の圧力を検出し、車輪速センサ１５ｉは、車輪７ｉの回転速度を検出する。各検出信号は、コントローラ１０へ入力される。
【００１３】
アクセルペダル３４には、反力モータ３５が連結され、アクセルセンサ１６は、反力モータ３５の回転角に応じて運転者のアクセル操作量（アクセル開度）を検出しコントローラ１０へ入力する。反力モータ３５は、コントローラ１０によって駆動制御され、この反力モータ３５により、運転者のペダル操作に対する操作反力が制御される。
なお、上記の各種データに左右の方向性がある場合には、何れも左方向を負値とし、右方向を正値とする。すなわち、ヨー角φ及び操舵角δは、左旋回時を負値とし右旋回時を正値とする。
コントローラ１０は、減速制御処理を所定時間毎のタイマ割込みで実行する。
【００１４】
図２は、減速制御処理を示すフローチャートである。
先ずステップＳ１では、各種データを読込む。
続くステップＳ２では、下記（１）式に示すように、非駆動側の従動輪の車輪速Ｖｗ１及びＶｗ２を用い、その平均車輪速を車速Ｖとして算出する。
Ｖ＝（Ｖｗ１＋Ｖｗ２）／２                   …………（１）
【００１５】
続くステップＳ３では、各ノード点の座標に基づいて各ノード点の曲率半径Ｒｎを算出する。曲率半径Ｒｎの自体の算出方法は、幾つかの方法が考えられるが、例えば下記（２）式に示すように、連続する三つのノード点の座標から、曲率半径Ｒｎを算出する。ｆは三つのノード点の座標から曲率半径Ｒｎを算出する関数である。
Ｒｎ＝ｆ（Ｘ(j-1)、Ｙ(j-1)、Ｘ(j)、Ｙ(j)、Ｘ(j+1)、Ｙ(j+1)）
…………（２）
【００１６】
ここでは、連続する三つのノード点の座標から曲率半径Ｒｎを算出しているが、他にも前後するノード点を結ぶ直線の角度に基づいて曲率半径Ｒｎを算出してもよい。また、その都度、曲率半径Ｒｎを算出するのではなく、地図データ内のノード情報として各ノード点の曲率半径Ｒｎを予め記憶させておき、その値を読込むようにしてもよい。また、各ノード点を通過するように、各ノード点の間を等間隔に区分する補完点を作成し、その作成した補完点毎に曲率半径Ｒｎを算出してもよい。
【００１７】
続くステップＳ４では、制御対象地点となる目標ノード点の算出を行う。本実施例では、自車前方のノード点の中から、制御の対象となる目標ノード点を曲率半径に応じて算出する。本発明は、運転者の目測ミスなどにより、実際のカーブの曲率半径から設定され、運転者が違和感を感じることなくカーブを通過可能な車速（通過可能速度）以上の車速でコーナーを走行しようとしているのを防止することが目的であるので、自車両に最も接近しており、且つ最も曲率半径Ｒｎの小さい位置に対して制御を行う。したがって、目標ノード点は、図３に示すように、自車前方の曲率半径Ｒｎの最初の極小値、つまり最も自車両に近く最も曲率半径が小さくなる地点である。
【００１８】
続くステップＳ５では、各輪の制駆動力とスリップ率との関係に従い、下記（３）に示すように、路面の摩擦係数μを推定する。
μ＝ｇ（各輪の制駆動力、各輪のスリップ率）          …………（３）
なお、路面の摩擦係数μをインフラストラクチャから入手可能であれば、それを用いればよい。また、運転者の判断で摩擦係数μを推定してもよく、例えば高・中・低のように大まかな段階に切り替え可能なスイッチを設けて、これを運転者の判断で選択操作させてもよい。
【００１９】
続くステップＳ６では、下記（４）式に示すように、路面の摩擦係数μに応じて許容横加速度ＹｇLIMを算出する。Ｋｓは係数であり、例えば０.８程度の値である。
ＹｇLIM＝Ｋｓ×μ                     …………（４）
なお、係数Ｋｓをするのではなく、図４のマップを参照し、車速に応じて係数Ｋｓを算出してもよい。このマップは、車速が高くなるほど、係数Ｋｓが小さくなるように設定されている。したがって、車速が高くなるほど、許容横加速度ＹｇLIMも小さくなる。
続くステップＳ７では、下記（５）式に示すように、目標ノード点の曲率半径Ｒｎ、及び許容横加速度ＹｇLIMに応じて、目標ノード点を通過するときの目標車速Ｖｒを算出する。
Ｖｒ＝√（ＹｇLIM×｜Ｒｎ｜）                       …………（５）
【００２０】
続くステップＳ８では、下記（６）式に示すように、車速Ｖ、目標車速Ｖｒ、及び目標ノード点までの距離Ｌに応じて、目標減速度Ｘｇを算出する。目標減速度Ｘｇは、正値のときに減速を指し、負値のときに加速を指す。
Ｘｇ＝（Ｖ2−Ｖｒ2）／２Ｌ
＝（Ｖ2−ＹｇLIM×｜Ｒｎ｜）／２Ｌ                     …………（６）
上記（６）式により、Ｖ＞Ｖｒの場合、車速Ｖが大きいほど、且つ目標車速Ｖｒが小さいほど、目標減速度Ｘｇが大きくなる。また、許容横加速度Ｙｇが小さいほど、且つ曲率半径Ｒｎが小さいほど、目標減速度Ｘｇが大きくなる。また、目標ノード点までの距離Ｌが短いほど、目標減速度Ｘｇが大きくなる。
【００２１】
続くステップＳ９では、警報の作動状態を表す警報フラグがＦW＝０にリセットされているか否かを判定する。判定結果がＦW＝０であれば、警報が非作動状態であると判断してステップＳ１０に移行する。一方、判定結果がＦW＝１であれば、既に警報が作動状態にあると判断してステップＳ１３に移行する。
ステップＳ１０では、目標減速度Ｘｇが警報開始閾値ｔｈW以上であるか否かを判定する。判定結果がＸｇ≧ｔｈWであれば、減速を促す警報が必要であると判断してステップＳ１１に移行する。一方、判定結果がＸｇ＜ｔｈWであれば、減速を促す警報は不要であると判断してステップＳ１４に移行する。
【００２２】
ステップＳ１１では、モニタ３３を駆動し、表示や音声などによって減速を促す警報を発する。
続くステップＳ１２では、警報フラグをＦW＝１にセットしてからステップＳ１６に移行する。
ステップＳ１３では、目標減速度Ｘｇが警報解除閾値（ｔｈW−ＫW）以上であるか否かを判定する。ＫWは警報のＯＮ／ＯＦＦのハンチングを防ぐためのヒステリシスであり、例えば０.０３Ｇ程度の値とする。判定結果がＸｇ≧（ｔｈW−ＫW）であれば、依然として減速を促す警報が必要であると判断して前記ステップＳ１１に移行する。一方、判定結果がＸｇ＜（ｔｈW−ＫW）であれば、もはや減速を促す警報は不要であると判断してステップＳ１４に移行する。
【００２３】
ステップＳ１４では、警報を終了する。
続くステップＳ１５では、警報フラグをＦW＝０にリセットしてからステップＳ１６に移行する。
ステップＳ１６では、減速制御の作動状態を表す減速フラグがＦR＝０にリセットされているか否かを判定する。判定結果がＦR＝０であれば、減速制御が非作動状態であると判断してステップＳ１７に移行する。一方、判定結果がＦR＝１であれば、既に減速制御が作動状態にあると判断してステップＳ２０に移行する。
【００２４】
ステップＳ１７では、目標減速度Ｘｇが減速開始閾値ｔｈR以上であるか否かを判定する。ｔｈRはｔｈWより少し大きい値とする。判定結果がＸｇ≧ｔｈRであれば、減速制御が必要であると判断してステップＳ１８に移行する。一方、判定結果がＸｇ＜ｔｈRであれば、減速制御は不要であると判断してステップＳ２１に移行する。
ステップＳ１８では、制動力制御、及び駆動力抑制によって減速制御を実行する。
【００２５】
［制動力制御］
先ず、下記（７）式に示すように、目標減速度Ｘｇに応じて目標制動液圧Ｐｃを算出する。Ｋｂはブレーキ諸元に応じた定数である。
Ｐｃ＝Ｋｂ×Ｘｇ                      …………（７）
そして、下記（８）式に示すように、目標制動液圧Ｐｃとマスターシリンダ圧力Ｐｍとを比較し、セレクトハイしたものを新たな目標制動液圧Ｐｃとする。
Ｐｃ  ←  ｍａｘ〔Ｐｃ，Ｐｍ〕        …………（８）
そして、最適な前後輪制動力配分を決定し、目標制動液圧Ｐｃに応じて各輪の目標制動液圧Ｐｉを算出し、この目標制動液圧Ｐｉを実現するためにブレーキアクチュエータ５を駆動制御する。
【００２６】
［駆動力制御］
ここでは、下記（９）式に示すように、目標駆動トルクＴを算出し、この目標駆動トルクＴに応じた駆動力指令を駆動力制御装置２０に出力する。Ｆａは運転者のアクセル操作に応じた通常の駆動トルクであり、Ｇは目標制動液圧Ｐｃに応じて発生すると予想される制動トルクである。
Ｔ＝Ｆａ−Ｇ                          …………（９）
こうして制動力の増加と、エンジン出力の抑制によって、車両を効果的に減速させる。
続くステップＳ１９では、減速フラグをＦR＝１にセットしてからステップＳ２３に移行する。
【００２７】
ステップＳ２０では、目標減速度Ｘｇが減速解除閾値（ｔｈR−ＫR）以上であるか否かを判定する。ＫRは減速制御のＯＮ／ＯＦＦのハンチングを防ぐためのヒステリシスであり、例えば０.０５Ｇ程度の値とする。判定結果がＸｇ≧（ｔｈR−ＫR）であれば、依然として減速制御が必要であると判断して前記ステップＳ１８に移行する。一方、判定結果がＸｇ＜（ｔｈR−ＫR）であれば、もはや減速制御は不要であると判断してステップＳ２１に移行する。
【００２８】
ステップＳ２１では、減速制御を終了する。
続くステップＳ２２では、減速フラグをＦR＝０にリセットしてからステップＳ２３に移行する。
ステップＳ２３では、アクセル操作に対する反力増加補正を開始するタイミングを、減速制御を開始するタイミングよりも早めるための早期係数ＸAを、車速及び路面勾配の少なくとも一方に応じて算出する。
【００２９】
先ず、図５のマップを参照し、車速に応じて早期係数ＸAを算出する。このマップは、車速が高いほど、早期係数ＸAが最大値ＸMAXから最小値ＸMINの範囲で小さくなるように設定されている。
また、図６のマップを参照し、路面勾配に応じて早期係数ＸAを算出する。このマップは、路面勾配が０のときに、早期係数ＸAが中間値ＸMIDとなり、下り勾配が大きくなるほど、早期係数ＸAが中間値ＸMIDから最大値ＸMAXの範囲で大きくなり、上り勾配が大きくなるほど、早期係数ＸAが中間値ＸMIDから最小値ＸMINの範囲で小さくなるように設定されている。
【００３０】
なお、車速及び路面勾配の双方に応じて早期係数ＸAを算出する場合には、個別に算出した早期係数ＸAの平均値を用いたり、重み付けをしてから加算したりすればよい。
続くステップＳ２４では、反力補正の実施状態を表す補正フラグがＦA＝０にリセットされているか否かを判定する。判定結果がＦA＝０であれば、反力補正は実施されていないと判断してステップＳ２５に移行する。一方、判定結果がＦA＝１であれば、既に反力補正が実施されていると判断してステップＳ２８に移行する。
【００３１】
ステップＳ２５では、目標減速度Ｘｇが補正開始閾値（ｔｈR−ＸA）以上であるか否かを判定する。判定結果がＸｇ≧（ｔｈR−ＸA）であれば、減速を促す必要があると判断してステップＳ２６に移行する。一方、判定結果がＸｇ＜（ｔｈR−ＸA）であれば、減速を促す必要はないと判断してステップＳ２８に移行する。
ステップＳ２６では、反力モータ３５を駆動し、アクセル操作に応じた通常反力を増加補正する。ここでは、目標減速度Ｘｇと所定値（ｔｈR−ＸA）との差分が大きいほど、増加補正量を大きくする。
【００３２】
続くステップＳ２７では、補正フラグをＦA＝１にセットしてから所定のメインプログラムに復帰する。
ステップＳ２８では、目標減速度Ｘｇが補正解除閾値（ｔｈR−ＸA−ＫR）以上であるか否かを判定する。判定結果がＸｇ≧（ｔｈR−ＸA−ＫR）であれば、依然として減速を促す必要であると判断して前記ステップＳ２６に移行する。一方、判定結果がＸｇ＜（ｔｈR−ＸA−ＫR）であれば、もはや減速を促す必要はないと判断してステップＳ２９に移行する。
ステップＳ２９では、反力補正を終了する。
続くステップＳ３０では、補正フラグをＦA＝０にリセットしてから所定のメインプログラムに復帰する。
【００３３】
《作用》
先ず、ナビゲーション装置３２から取得した道路形状に基づいて、車両の目標減速度Ｘｇを算出する（ステップＳ３〜Ｓ８）。このとき、車両がカーブに近づいてくると、その道路形状に基づいて算出される目標減速度Ｘｇが次第に増加してくる。
そして、目標減速度Ｘｇが警報開始閾値ｔｈW以上となるときに（ステップＳ１０の判定が“Yes”）、モニタ３３を駆動し、表示や音声などによって減速を促す警報を発する（ステップＳ１１）。この警報により、運転者が速やかにアクセル操作を緩める、又は制動操作に移行する等、減速操作を実行することで、目標減速度Ｘｇが警報開始閾値（ｔｈW−ＫW）未満になれば（ステップＳ１３の判定が“No”）、警報を終了する（ステップＳ１４）。減速開始閾値ｔｈRは警報開始閾値ｔｈWよりも大きいので、このときに減速制御が開始されることはない。
【００３４】
一方、警報を開始しても、運転者が速やかに減速操作を実行せず、目標減速度Ｘｇが減速開始閾値ｔｈR以上となるときに（ステップＳ１７の判定が“Yes”）、ブレーキアクチュエータ５及び駆動力制御装置２０を駆動し、制動力の増加と駆動力の抑制によって、減速制御を行う（ステップＳ１８）。この減速制御により、目標減速度Ｘｇが減速解除閾値（ｔｈR−ＫR）未満になれば（ステップＳ２０の判定が“No”）、減速制御を終了する（ステップＳ２１）。
【００３５】
このように、自車進路前方の道路形状を取得し、カーブに進入する前に、そのカーブに適した進入速度となるように自動減速を行うと共に、その旨を音声や表示によって運転者に報知することで、運転支援を行うことができる。
ところで、自動減速を行う旨を音声や表示によって報知しても、運転者の視線方向や周囲の雑音によっては、効果的に通知できない可能性がある。
そこで、本実施形態では、自車進路前方の道路形状に応じて自車両が減速を開始すべき減速タイミングを判断し、判断した減速タイミングよりも前の時点で、運転のアクセル操作に対する操作反力を増加補正する。
【００３６】
具体的には、先ず減速開始閾値ｔｈRから早期係数ＸAを減算した補正開始閾値（ｔｈR−ＸA）を設定し、目標減速度Ｘｇが補正開始閾値（ｔｈR−ＸA）以上となるときに（ステップＳ２５の判定が“Yes”）、操作反力を増加補正する（ステップＳ２６）。すなわち、補正開始閾値（ｔｈR−ＸA）は減速開始閾値ｔｈRよりも小さいので、減速制御が開始されるよりも、必ずアクセルペダル３４の操作反力が強まることになる。これにより、車両に減速が必要なことを効果的に運転者に通知することができ、且つ運転者の減速操作を促すことができる。
【００３７】
このとき、車速が高いほど、早期係数ＸAを大きくすることで（ステップＳ２３、図５）、補正開始閾値（ｔｈR−ＸA）を小さくする。これにより、目標減速度Ｘｇが補正開始閾値（ｔｈR−ＸA）を超えやすくなるので、減速タイミングに対して反力補正を開始するタイミング差が大きくなり、より早く反力補正が開始される。したがって、高速で走行しているときには、カーブに進入する前に、十分な余裕を持って運転者に減速操作を促すことができ、運転者の安心感を与えることができる。
【００３８】
また、路面勾配に応じても、早期係数ＸAを変化させ（ステップＳ２３、図６）、補正開始閾値（ｔｈR−ＸA）を調整する。
先ず、下り勾配が大きいほど、早期係数ＸAを大きくすることで、補正開始閾値（ｔｈR−ＸA）を小さくする。これにより、目標減速度Ｘｇが補正開始閾値（ｔｈR−ＸA）を超えやすくなるので、減速タイミングに対して反力補正を開始するタイミング差が大きくなり、より早く反力補正が開始される。したがって、降坂路のように、車速が増加しやすい状況では、カーブに進入する前に、十分な余裕を持って運転者に減速操作を促すことができ、運転者の安心感を与えることができる。
【００３９】
一方、上り勾配が大きいほど、早期係数ＸAを小さくすることで、補正開始閾値（ｔｈR−ＸA）を大きくする。これにより、目標減速度Ｘｇが補正開始閾値（ｔｈR−ＸA）を超えにくくなるので、減速制御が開始されるよりかは早いものの、この減速タイミングに対して反力補正を開始するタイミング差が小さくなる。したがって、降坂路のように、車速が減速しやすい状況では、不必要に減速操作を促すことを抑制し、運転者に違和感を与えることがない。
【００４０】
また、早期係数ＸAは最大値MAXから最小値ＸMINの範囲に制限する。これにより、車速が高すぎたり、下り勾配が大きすぎたりしたときに、反力補正が不必要に早まることを防止することができる。逆に、車速が低い、又は上り勾配が大きく、車両が減速しやすい状況にあるとはいえ、減速タイミングに対して反力補正を開始するタイミング差が小さくなり過ぎて、その差を運転者が認識できない、といった事態を防ぐことができる。
【００４１】
また、目標減速度Ｘｇと補正開始閾値（ｔｈR−ＸA）との差分が大きいほど、アクセル操作に対するペダル反力の増加補正量を大きくする。これにより、運転者はペダル反力の大きさから、車両が今どの程度減速すべきなのかを、把握することができる。
こうして、アクセルペダル３４の反力増加により、目標減速度Ｘｇが補正解除閾値（ｔｈR−ＸA−ＫR）未満になれば（ステップＳ２８の判定が“No”）、反力補正を終了する（ステップＳ２９）。
【００４２】
《応用例》
なお、本実施形態では、減速制御を行う前に、アクセルペダル３４の反力を増加させて減速操作を促しているが、これに限定されるものではない。すなわち、運転者がアクセル操作をしているとは限らず、ブレーキ操作をしていることも考えられる。したがって、減速制御を行う前に、運転者がアクセル操作をしているか、ブレーキ操作をしているかを判定し、ブレーキ操作をしているときには、ブレーキペダル１の反力を減少させることで、ブレーキペダル１の更なる踏込みを促してもよい。
また、本実施形態では、減速制御を行う場合について説明しているが、これに限定されるものではなく、カーブに進入する前に、警報を行い、且つ反力補正を行うだけの構成であってもよい。
【００４３】
《効果》
以上より、アクセルペダル３４、ブレーキペダル１が「運転操作子」に対応し、反力モータ３３、ブレーキブースタ２が「反力制御手段」に対応し、ナビゲーション装置３２、ステップＳ３、Ｓ４の処理がが「検出手段」に対応する。また、ステップＳ１６、Ｓ１７、Ｓ２０の処理がが「判断手段」に対応し、ブレーキアクチュエータ５、駆動力制御装置２０、ステップＳ１８の処理が「減速制御手段」に対応し、ステップＳ２３〜Ｓ３０の処理が「補正手段」に対応する。
【００４４】
（１）運転者によって加減速操作される運転操作子と、運転者の加減速操作に応じて前記運転操作子に操作反力を付与する反力制御手段と、自車進路前方の道路形状を検出する検出手段と、該検出手段が検出した道路形状に応じて自車両が減速を開始すべきタイミングである減速タイミングを判断する判断手段と、該判断手段が判断した減速タイミングよりも前の時点で、前記操作反力に対する減速促進方向への補正を開始する補正手段と、を備える。
このように、減速タイミングよりも前の時点で、運転の加減速操作に対する操作反力を、減速促進方向に制御することで、車両に減速が必要な旨を、効果的に運転者に通知することができる。
【００４５】
（２）前記判断手段は、前記検出手段が検出した道路形状に応じて、自車進路前方で最も自車両に近く最も曲率半径が小さくなる地点を制御対象地点として算出し、算出した制御対象地点における曲率半径に基づいて当該制御対象地点を通過するときの目標車速を算出し、算出した目標車速、前記制御対象地点までの距離、及び現在の車速に基づいて、自車両の目標減速度を算出し、当該目標減速度が所定の減速開始閾値よりも大きいときに、自車両が減速を開始すべき減速タイミングであると判断する。
これにより、自車両が減速すべき減速タイミングを容易に判断できる。
【００４６】
（３）前記補正手段は、前記減速開始閾値よりも小さな補正開始閾値を設定し、前記目標減速度が当該補正開始閾値より大きくなったときに、前記補正を開始する。
これにより、減速タイミングよりも前の時点で、運転の加減速操作に対する操作反力を、減速促進方向に制御することができる。
（４）前記補正手段は、前記目標減速度と前記補正開始閾値との差分が大きいほど、前記操作反力に対する減速促進方向への補正量を大きくする。
これにより、運転者はペダル反力の大きさから、車両が今どの程度減速すべきなのかを、把握することができる。
【００４７】
（５）前記判断手段が判断した減速タイミングで、車両を減速させる減速制御手段を備える。
これにより、カーブに進入する前に、そのカーブに適した進入速度となるように、車両を確実に減速させることができる。
（６）前記補正手段は、自車速が高いほど、前記減速タイミングに対して前記補正を開始するタイミング差を大きくする。
これにより、高速で走行しているときには、カーブに進入する前に、十分な余裕を持って運転者に減速操作を促すことができ、運転者の安心感を与えることができる。
【００４８】
（７）前記補正手段は、路面勾配に応じて、前記減速タイミングに対して前記補正を開始するタイミング差を変更する。
これにより、路面勾配に応じた適切なタイミングで、運転者に減速操作を促すことができる。
（８）前記補正手段は、下り勾配が大きいほど、前記減速タイミングに対して前記補正を開始するタイミング差を大きくする。
これにより、降坂路のように、車速が増加しやすい状況では、カーブに進入する前に、十分な余裕を持って運転者に減速操作を促すことができ、運転者の安心感を与えることができる。
【００４９】
（９）前記補正手段は、上り勾配が大きいほど、前記減速タイミングに対して前記補正を開始するタイミング差を小さくする。
これにより、降坂路のように、車速が減速しやすい状況では、不必要に減速操作を促すことを抑制し、運転者に違和感を与えることがない。
（１０）前記補正手段は、前記減速タイミングに対して前記補正を開始するタイミング差を、所定範囲に制限する。
これにより、車速が高すぎたり、下り勾配が大きすぎたりしたときに、反力補正が不必要に早まることを防止することができる。逆に、車速が低い、又は上り勾配が大きく、車両が減速しやすい状況にあるとはいえ、減速タイミングに対して反力補正を開始するタイミング差が小さくなり過ぎて、その差を運転者が認識できない、といった事態を防ぐことができる。
【００５０】
（１１）前記運転操作子は、アクセル操作子を含み、前記反力制御手段は、運転者のアクセル操作に応じて前記アクセル操作子に操作反力を付与し、前記補正手段は、前記アクセル操作子に対する操作反力を増加補正する。
これにより、アクセル操作を緩める減速操作を運転者に促すことができる。
（１２）前記運転操作子は、ブレーキ操作子を含み、前記反力制御手段は、運転者のブレーキ操作に応じて前記ブレーキ操作子に操作反力を付与し、前記補正手段は、前記ブレーキ操作子に対する操作反力を減少補正する。
これにより、ブレーキ操作を強める減速操作を運転者に促すことができる。
【００５１】
（１３）自車進路前方の道路形状に応じて自車両が減速を開始すべき減速タイミングを判断し、判断した減速タイミングよりも前の時点で、運転の加減速操作に対する操作反力を、減速促進方向に制御する。
このように、減速タイミングよりも前の時点で、運転の加減速操作に対する操作反力を、減速促進方向に制御することで、車両に減速が必要な旨を、効果的に運転者に通知することができる。
【００５２】
（１４）自車進路前方で最も自車両に近く最も曲率半径が小さくなる地点を制御対象地点として算出し、算出した制御対象地点における曲率半径に基づいて当該制御対象地点を通過するときの目標車速を算出し、算出した目標車速、前記制御対象地点までの距離、及び現在の車速に基づいて、自車両の目標減速度を算出し、当該目標減速度が所定の減速開始閾値よりも大きいときに、自車両が減速を開始すべき減速タイミングであると判断する。
これにより、自車両が減速を開始すべき減速タイミングを容易に判断できる。
【符号の説明】
【００５３】
１  ブレーキペダル
２  ブレーキブースタ
５  ブレーキアクチュエータ
１０  コントローラ
２０  駆動力制御装置
３２  ナビゲーション装置
３４  アクセルペダル
３５  反力モータ
【図１】
2010195087.tif 000003
【図２】
2010195087.tif 000004
【図３】
2010195087.tif 000005
【図４】
2010195087.tif 000006
【図５】
2010195087.tif 000007
【図６】
2010195087.tif 000008